(57)【要約】【課題】容易に施工できて、良好な外観品質を長期間に渡り、保持出来る外壁構造を提供する。【解決手段】胴縁１４は、所定の厚みを有する両面接着テープ１７が用いられて、外壁ボード１，１の相対向する両端縁部１ａ，１ａ間に跨るように接着されている。  この胴縁１４の外側面には、接着材１８，１８が介在されて、外壁仕上げ材１３，１３の両端縁部１３ａ，１３ａが、複数本のドリルビス部材１６…によって固着される。  スライド治具部材１５は、長孔１９，１９には、丸木ネジ部材２１，２１が挿通されて、外壁構造体１０と、仕上材取付面１５ｄに固定される外壁仕上げ材１３との間が、面延設方向にスライド移動して、変位が吸収される。【選択図】図１
2008075354.tif 000002
【特許請求の範囲】
【請求項１】
外壁部が、外壁構造体と、該外壁構造体の外側面から一定距離離間して、面延設方向にスライド移動可能に装着される外壁仕上げ材とを有すると共に、前記外壁仕上げ材と、前記外壁構造体との間に介在されて、隣接配置される前記外壁仕上げ材同士を、各々固定すると共に、前記外壁構造体に対して、粘着材が用いられて添着される胴縁を有することを特徴とする外壁構造。
【請求項２】
前記外壁仕上げ材及び、前記外壁構造体の間に介在されると共に、前記外壁仕上げ材を固定する仕上材取付面部と、前記外壁構造体の外側面から突設されたスライド係止部材が、挿通される長孔を開口形成する構造体側取付面とを有するスライド治具部材を有することを特徴とする請求項１記載の外壁構造。
【請求項３】
前記外壁仕上げ材と、前記外壁構造体との間に介在された胴縁に、隣接配置される外壁仕上げ材の端縁同士を突き合わせて、各々固定すると共に、該外壁仕上げ材の端縁間に跨って、該外壁仕上げ材の外表面を覆う仕上げ層が設けられていることを特徴とする請求項１又は２記載の外壁構造。
【発明の詳細な説明】
【技術分野】
【０００１】
本発明は、建物の外壁構造に関し、特に、長期間に渡り、外観品質を良好に保持できる外壁構造に関するものである。
【背景技術】
【０００２】
従来、図５に示すように、建物の外壁構造として、隣接する外壁ボード１，１の相対向する両端縁部１ａ，１ａ間に跨るように、外壁ボード継目処理材２が貼設されているものが知られている（例えば、特許文献１等参照）。
【０００３】
このようなものでは、前記外壁ボード継目処理材２が、一定の幅方向寸法Ｗ（Ｗ＝約５〜２０ｃｍ）の帯状を呈し、図示省略の両面離型紙を剥がすことにより、粘着面４ａを露出させる一対の粘着層４，４、必要に応じて設けられる粘着層移行防止層５、不織布６及び、補強塗装７等を有して、主に構成されている。
【０００４】
また、この外壁ボード継目処理材２が、貼設された両端縁部１ａ，１ａ間の表面側には、この外壁ボード継目処理材２の上から、アクリルゴム系の弾性パテ材８が塗布されて、前記外壁ボード継目処理材２の両側縁部に形成される段差が、平滑となるように構成されている。
【０００５】
そして、これらの弾性パテ材８の上から、仕上げ塗装層９が塗布されて、工程が略完了する。
【０００６】
このように構成された従来の外壁構造では、前記粘着層４，４間に、一定の間隙が設けられている。
【０００７】
このため、前記外壁ボード１，１の端縁部１ａ，１ａ間が、地震等により、建物相対変位しても、前記外壁ボード継目処理材２が、伸縮して、継目間隔の変動に十分追従することができる。
【特許文献１】特開平０７−１１９２７３号公報（段落００１１乃至００２２、図２）
【発明の開示】
【発明が解決しようとする課題】
【０００８】
しかしながら、このような従来の外壁構造では、前記粘着面４ａ，４ａを各々前記端縁部１ａ，１ａの表面側に沿わせて、貼設しなければならないため、下地の平滑処理等、貼り付け施工時に、工程数が増大してしまう。
【０００９】
また、外壁ボード継目処理材２の上から、アクリルゴム系の弾性パテ材８が塗布されて、前記外壁ボード継目処理材２の両側縁部に形成される段差が、平滑となるように施工されている。
【００１０】
このため、前記施工者の技量が、前記最表面に塗布された仕上げ塗装層９の仕上げの出来映えの良否に反映されやすく、一定の外観品質を常に得ることが困難であるといった問題があった。
【００１１】
また、前記外壁ボード継目処理材２は、経時劣化によって、捲れたり或いは膨張して、前記最表面に塗布された仕上げ塗装層９の外観品質を低下させてしまうといった問題もあった。
【００１２】
そこで、この発明は、容易に施工できて、良好な外観品質を長期間に渡り、保持出来る外壁構造を提供することを課題としている。
【課題を解決するための手段】
【００１３】
上記目的を達成するために、請求項１に記載された発明は、外壁部が、外壁構造体と、該外壁構造体の外側面から一定距離離間して、面延設方向にスライド移動可能に装着される外壁仕上げ材とを有すると共に、前記外壁仕上げ材と、前記外壁構造体との間に介在されて、隣接配置される前記外壁仕上げ材同士を、各々固定すると共に、前記外壁構造体に対して、粘着材が用いられて添着される胴縁を有する外壁構造を特徴としている。
【００１４】
また、請求項２に記載されたものは、前記外壁仕上げ材及び、前記外壁構造体の間に介在されると共に、前記外壁仕上げ材を固定する仕上材取付面部と、前記外壁構造体の外側面から突設されたスライド係止部材が、挿通される長孔を開口形成する構造体側取付面とを有するスライド治具部材を有する請求項１記載の外壁構造を特徴としている。
【００１５】
更に、請求項３に記載されたものは、前記外壁仕上げ材と、前記外壁構造体との間に介在された胴縁に、隣接配置される外壁仕上げ材の端縁同士を突き合わせて、各々固定すると共に、該外壁仕上げ材の端縁間に跨って、該外壁仕上げ材の外表面を覆う仕上げ層が設けられている請求項１又は２記載の外壁構造を特徴としている。
【発明の効果】
【００１６】
このように構成された本願発明の請求項１記載のものは、外壁部に設けられる前記外壁仕上げ材が、前記外壁構造体の外表面から一定距離離間されて、装着されている。
【００１７】
このため、前記外壁構造体の外表面に行われる施工が、該外壁仕上げ材によって覆われて、外部から視認出来ず、長期に渡り、良好な外観品質を維持することができる。
【００１８】
また、外壁仕上げ材は、外壁構造体に対して、面延設方向にスライド移動可能に装着されている。
【００１９】
このため、地震等により、建物の外壁構造体に歪み等の変形が生じても、前記外壁仕上げ材と該外壁構造体との間が、面延設方向にスライド移動して、変位が吸収される。
【００２０】
従って、前記外壁仕上げ材の表面に、建物の外壁構造体の変形の影響が出にくく、地震発生後も、一定の外観品質を維持できる。
【００２１】
また、前記胴縁には、隣接配置される外壁仕上げ材同士が、各々固定される。例えば、端面同士を突き合わせることにより、容易に、胴縁の外側面上で、前記両外壁仕上げ材の各表面を面一とすることができる。
【００２２】
そして、該胴縁に固定された前記両外壁仕上げ材間の寸法距離は、常に一定に保たれるので、両端縁間の隙間寸法等が、変化せず、常に、外観品質を良好なものとすることができる。
【００２３】
更に、請求項２に記載されたものは、前記スライド治具部材に設けられた前記仕上材取付面部に、前記外壁仕上げ材が固定されている。
【００２４】
また、該スライド治具部材の前記構造体側取付面に形成された長孔には、前記外壁構造体の外側面から突設されたスライド係止部材が、挿通される。
【００２５】
該スライド係止部材は、長孔の長手方向に沿って、スライド移動可能であるので、前記建物の外壁構造体が、変形しても、該外壁仕上げ材に影響が出にくい。
【００２６】
そして、前記両胴縁間に設けられた前記スライド治具部材が、前記長孔に挿通された前記スライド係止部材によって、支持されているので、各胴縁の前記外壁構造体への取付を、簡易な粘着材等で行える。
【００２７】
また、請求項３に記載されたものは、仕上げ層が跨る隣接配置される外壁仕上げ材の端縁同士が、胴縁に突き合わせられて固定されている。
【００２８】
このため、両端縁間の隙間寸法が、変化せず、該仕上げ層にクラックや、変位による歪みを発生させる虞が無い。
【００２９】
従って、更に、容易に施工できて、良好な外観品質を長期間に渡り、保持出来る外壁構造が提供される。
【発明を実施するための最良の形態】
【００３０】
次に、図面に基づいて、この発明を実施するための最良の実施の形態の外壁構造について説明する。
【００３１】
図１乃至図４は、この発明の実施の形態の外壁構造を示すものである。
【００３２】
まず、構成から説明すると、この実施の形態では、図１に示すように、隣接配置される外壁ボード１，１が相対向する両端縁部１ａ，１ａを突き合わせて、内側壁部を構成する複数の石膏ボード１１…と共に、一定間隔を置いて、上下方向に延設される各枠材１２，１２の各両側端面に、各々固着されることにより、所定の内部中空空間を有する外壁構造体１０が、形成されている。
【００３３】
この外壁構造体１０の外側面には、外壁仕上げ材１３，１３が、前記両端縁部１ａ，１ａ間に跨るように、上下方向に沿って延設される胴縁１４，１４及び、これらの胴縁１４，１４間に位置して、前記枠材１２に対して、水平方向へ一定寸法のスライド移動を許容されて装着されるスライド治具部材１５とを介在させて、複数本のドリルビス部材１６…又は、丸木ネジ部材２１が用いられて装着されている。
【００３４】
このうち、前記胴縁１４は、所定の厚みを有する両面接着テープ１７が用いられて、前記外壁ボード１，１の相対向する両端縁部１ａ，１ａ間に跨るように接着されている。
【００３５】
また、この胴縁１４の外側面には、接着材１８，１８が介在されて、前記外壁仕上げ材１３，１３の両端縁部１３ａ，１３ａ裏面側を仮止めすると共に、前記複数本のドリルビス部材１６…によって、これらの各端縁部１３ａ，１３ａが固着されるように構成されている。
【００３６】
そして、前記スライド治具部材１５は、図２に示すように、水平断面形状を、略Ｍ字型とすると共に、中央の谷溝状の構造体側取付面１５ａには、水平方向に長手方向を沿わせて、３穴の長孔部１９…が開口形成されている。
【００３７】
これらの長孔１９，１９には、ワッシャ部材２０，２０を介在させて、スライド係止部材としての丸木ネジ部材２１，２１が挿通されている。
【００３８】
これらの丸木ネジ部材２１，２１は、前記外壁ボード１を貫通して、前記枠材１２に螺着されると共に、螺着されている状態では、図１に示すように、前記スライド治具部材１５の両側フランジ部先端縁１５ｂ，１５ｂが、前記外壁ボード１の外表面から一定間隔ｄを有して、各々離間されているように構成されている。
【００３９】
このため、前記丸木ネジ部材２１，２１が、前記長孔部１９，１９内で、水平方向に沿って、スライド移動可能である。従って、建物の外壁構造体１０に歪み等の変形が生じても、前記外壁仕上げ材１３と外壁構造体１０との間が、面延設方向にスライド移動して、変位が吸収されるように構成されている。
【００４０】
そして、これらの前記外壁仕上げ材１３，１３の端縁１３ａ，１３ａ間に跨って、これらの外壁仕上げ材１３，１３の外表面を覆うように、仕上げ層としての塗装２２が、施されて設けられている。
【００４１】
次に、この実施の形態の外壁構造の作用効果について説明する。
【００４２】
この実施の形態では、建物の外壁部に設けられる前記外壁仕上げ材１３，１３が、前記外壁構造体１０の外表面を構成する外壁ボード１の外表面から一定距離離間されて、装着されている。
【００４３】
このため、前記外壁構造体１０の外表面に行われる外壁ボード１，１の端縁部１ａ，１ａ間の間隔を設けて貼設する施工等が、この外壁仕上げ材１３，１３によって覆われて、外部から視認出来ない。
【００４４】
このため、外壁構造体１０は、外観品質を考慮する必要がなく、建物の強度を維持する機能を与えることができる。
【００４５】
また、従来のように、前記外壁ボード継目処理材２の上から、アクリルゴム系の弾性パテ材８を塗布する等の必要も無いので、施工が容易で、長期に渡り、良好な一定の外観品質を維持することができる。
【００４６】
また、外壁仕上げ材１３は、外壁構造体１０に対して、前記スライド治具部材１５を介して、面延設方向にスライド移動可能に装着されている。
【００４７】
このため、地震等により、建物の外壁構造体１０に歪み等の変形が生じても、前記外壁仕上げ材１３，１３と、この外壁構造体１０との間が、面延設方向で、主に水平方向に相対的にスライド移動して、変位が吸収される。
【００４８】
従って、前記外壁仕上げ材１３の表面に、建物の外壁構造体１０の変形の影響が出にくく、一定の外観品質を維持できる。
【００４９】
また、図１に示すように、前記各胴縁１４，１４には、隣接配置される外壁仕上げ材１３，１３の端縁１３ａ，１３ａが、各々固定される。
【００５０】
例えば、この実施の形態のように、前記端縁１３ａ，１３ａを端面同士を突き合わせて固定することにより、容易に、胴縁１４の外側面上で、前記両外壁仕上げ材１３，１３の表面位置を面一とすることができる。
【００５１】
そして、この胴縁１４に固定された前記両外壁仕上げ材１４，１４間の寸法距離は、前記ドリルビス部材１６，１６による固定で、常に一定に保たれるので、両端縁１３ａ，１３ａ間の隙間寸法等が、変化しない。
【００５２】
従って、仕上げ層として、両端縁１３ａ，１３ａ間に跨る塗装が、施されていても、両端縁１３ａ，１３ａ間の隙間寸法が、変化しないので、仕上げ層にクラックや、変位による歪みを発生させる虞が無く、常に、外観品質を良好なものとすることができる。
【００５３】
更に、前記スライド治具部材１５に設けられた前記仕上材取付面部１５ｃ，１５ｃに、前記外壁仕上げ材１３が、ドリルビス部材１６，１６によって、固定されている。
【００５４】
また、前記スライド治具部材１５の前記構造体側取付面１５ａに形成された長孔１９には、前記外壁構造体１０の外側面から突設された丸木ネジ部材２１が、挿通されていて、前記外壁仕上げ材１４が脱落不能となるように係止されて支持されている。
【００５５】
この丸木ネジ部材２１は、長孔１９の長手方向に沿って、スライド移動可能であるので、前記建物の躯体を構成する外壁構造体１０が、変形しても、前記外壁仕上げ材１４，１４に影響が出にくい。
【００５６】
しかも、この実施の形態では、前記スライド治具部材１５の両側フランジ部先端縁１５ｂ，１５ｂが、前記外壁ボード１の外表面から一定間隔ｄを有して、遊離した状態で離間配置されている。
【００５７】
このため、前記外壁構造体１０に対して、前記スライド治具部材１５と共に、外壁仕上げ材１４，１４が、水平方向に相対スライド移動しても、外壁ボード１の外表面と、このスライド治具部材１５が干渉することなく、円滑に移動しながら変位を吸収することができる。
【００５８】
そして、前記両胴縁１４，１４間に設けられた前記スライド治具部材１５が、前記長孔１９に挿通された前記丸木ネジ部材２１を、前記外壁ボード１及び枠材１２に螺着させるだけで、容易に装着されて、前記外壁仕上げ材１４を支持することが出来る。
【００５９】
このため、前記外壁仕上げ材１４の荷重は、このスライド治具部材１５から、前記丸木ネジ部材２１を介して、前記外壁構造体１０の枠材１２に伝えられて支持され、両側に位置する各胴縁１４，１４の前記外壁構造体１０への取付を、簡易な両面粘着テープ１７，１７材等で行える。
【００６０】
従って、外壁施工時、従来のような弾性パテ材８や仕上げ塗料の塗布及び養生を簡略化若しくは必要を無くして、更に、容易に施工できる。
【００６１】
しかも、経時劣化によって、従来の前記外壁ボード継目処理材２のように、捲れたり或いは膨張して、前記最表面に塗布された仕上げ塗装層９の外観品質を低下させる虞が無い。  そして、両端縁１３ａ，１３ａ間の隙間寸法が、変化しない外壁仕上げ材１３，１３の表面に、仕上げ層を形成できるので、この両端縁１３ａ，１３ａ間の隙間を塞ぐテープや或いはパテ材等も不要となる。
【００６２】
このため、従来のように、表面の凹凸が発生することも無く、地震等により、建物相対変位しても、塗装２２表面に影響が生じない。
【００６３】
従って、施工が容易で、しかも良好な外観品質を長期間に渡り、保持出来る外壁構造が提供される。
【００６４】
以上、図面を参照して、本発明の実施の形態を詳述してきたが、具体的な構成は、この実施の形態に限らず、本発明の要旨を逸脱しない程度の設計的変更は、本発明に含まれる。
【００６５】
即ち、前記実施の形態では、外壁仕上げ材１３，１３が、前記両端縁部１ａ，１ａ間に跨るように、上下方向に沿って延設される胴縁１４，１４に、複数本のドリルビス部材１６…が用いられて装着されているが、特にこれに限らず、図４中下位置で示されるように、胴縁１４を貫通して、前記外壁ボード１及び枠材１２，１２まで到達する比較的長さ寸法の大きなドリルビス１１６，１１６を数本、一部に用いても、前記外壁仕上げ材１３，１３が、前記枠材１２に対して、水平方向へ一定寸法のスライド移動が許容されている状態で、装着されていればよい。
【００６６】
また、前記実施の形態では、粘着材として、両面粘着テープが用いられているが、特にこれに限らず、例えば、弾性接着材等を用いてもよい。
【００６７】
更に、前記実施の形態では、前記外壁仕上げ材１３，１３の端縁１３ａ，１３ａ間に跨って、これらの外壁仕上げ材１３，１３の外表面を覆うように、仕上げ層としての塗装２２が、施されて設けられているが、特に、これに限らず、前記外壁仕上げ材１３，１３の端縁１３ａ，１３ａ間に跨って、接着されるタイル仕上げ材等を用いる等、外壁仕上げ材１３，１３の端縁１３ａ，１３ａ間に跨って、これらの外壁仕上げ材１３，１３の外表面を覆うように、設けられているものであれば、どのような材料で、仕上げ層が設けられていてもよい。
【図面の簡単な説明】
【００６８】
【図１】この発明の最良の実施の形態の外壁構造で、全体の構成を示す水平断面図及び、要部の拡大断面図である。
【図２】実施の形態の外壁構造に用いるスライド治具部材の構成を説明する斜視図である。
【図３】実施の形態の外壁構造に用いるスライド治具部材を説明する水平方向に沿った断面図である。
【図４】実施の形態の外壁構造で、全体の構成を説明する鉛直方向に沿った断面図である。
【図５】従来例の外壁構造を説明する要部の断面図である。
【符号の説明】
【００６９】
１，１      外壁ボード
１ａ，１ａ  端縁部
１０        外壁構造体
１１        石膏ボード
１２        枠材
１３        外壁仕上げ材
１３ａ      端縁
１４        胴縁
１５        スライド治具部材
１５ａ      構造体側取付面
１５ｃ      仕上材取付面
１６        ドリルビス部材
１７        両面接着テープ（粘着材）
１９        長孔
２１        丸木ネジ部材（スライド係止部材）
２２        塗装（仕上げ層）
【図１】
2008075354.tif 000003
【図２】
2008075354.tif 000004
【図３】
2008075354.tif 000005
【図４】
2008075354.tif 000006
【図５】
2008075354.tif 000007